(57)【特許請求の範囲】
【請求項１】
商品情報ファイルに記憶された商品情報を利用して実行可能な商品販売データ処理機能およびインターネットに接続されたＷｅｂサーバーを介して実行可能な商品販売情報公開処理機能を有する商品販売データ処理システムにおいて、
前記商品情報ファイルに記憶された商品情報の中から選択された商品に係る選択商品情報を前記インターネット上で公開するための公開指定日を当該選択商品情報に関連付けて前記商品情報ファイルに記憶可能かつ商品情報ファイルから抽出した選択商品情報および当該公開指定日を前記Ｗｅｂサーバーに送信可能に形成し、
前記Ｗｅｂサーバーが受信しかつ公開指定日が関連付けられた選択商品情報を利用して公開選択商品情報を作成可能かつ作成された公開選択商品情報の中で当該公開指定日が過ぎている公開選択商品情報を前記商品販売情報公開処理機能の実行により前記インターネット上に公開可能に形成されている商品販売データ処理システム。
【請求項２】
前記公開選択商品情報の中で当該公開指定日が過ぎていない公開選択商品情報に関しては、当該公開指定日が過ぎるまで当該公開選択商品情報に代えて予め作成された特売関連情報を前記インターネット上に公開可能に形成されている請求項１記載の商品販売データ処理システム。
【請求項３】
前記公開選択商品情報の中で当該公開指定日が過ぎていない公開選択商品情報に関しては当該公開指定日が過ぎるまで当該公開選択商品情報に代えて予め作成された特売関連情報を前記インターネット上に公開可能であるとともに当該公開指定日が過ぎた後は当該公開選択商品情報と特売関連情報とを時間的交互に前記インターネット上に公開可能に形成されている請求項１記載の商品販売データ処理システム。
【請求項４】
ホストコンピュータと，ホストコンピュータとデータ通信可能な前記Ｗｅｂサーバーと，各店舗に配設されかつそれぞれがホストコンピュータとデータ通信可能な店舗コンピュータと，各店舗に配設されかつそれぞれが当該店舗コンピュータとデータ通信可能なターミナルとを有し、
ホストコンピュータから前記Ｗｅｂサーバーおよび各店舗コンピュータに前記公開指定日が関連付けられた選択商品情報を含む商品情報を配信可能であるとともに、各店舗内の店舗コンピュータまたはターミナルを用いてホストコンピュータから受信した選択商品情報に係る公開指定日を変更可能かつ変更後の公開指定日を当該選択商品情報を特定して前記Ｗｅｂサーバーに送信可能に形成され、
前記Ｗｅｂサーバーが店舗コンピュータまたはターミナルから変更後の公開指定日を受信した場合にはホストコンピュータから受信した当該選択商品情報に関連付けられた公開指定日を店舗コンピュータまたはターミナルから受信した変更後の公開指定日に書換え更新可能に形成されている請求項１から請求項３までのいずれか１項に記載された商品販売データ処理システム。
【請求項５】
前記選択商品情報を顧客管理ファイルで管理されている顧客に電子メールとして送信可能に形成されている請求項１から請求項４までのいずれか１項に記載された商品販売データ処理システム。
【発明の詳細な説明】
【０００１】
【発明の属する技術分野】
本発明は、商品情報ファイルに記憶された商品情報を利用して実行可能な商品販売データ処理機能およびインターネットに接続されたＷｅｂサーバーを介して実行可能な商品販売情報公開処理機能を有する商品販売データ処理システムに関する。
【０００２】
【従来の技術】
商品情報ファイルに記憶された商品情報を利用した商品販売データ処理機能およびインターネットに接続されたＷｅｂサーバーを介しての商品販売情報公開処理機能を有する商品販売データ処理システムが知られている。
【０００３】
図１４において、店舗５００Ａ（５００Ｂの場合も同じ。）内の店舗コンピュータ（ストアコントローラＳＣ）８０とデータ通信回線（ＬＡＮ４５）を介して接続された複数のターミナル（電子キャッシュレジスタ）１０とを含み商品販売データ処理システムが構成されている。
【０００４】
上記した商品販売データ処理機能は、次のように実行される。ターミナル１０で商品コードをスキャン入力することで、店舗コンピュータ８０内の商品情報ファイルに記憶された当該商品コードに対応する商品情報を取得し、この商品情報（例えば、商品名，単価）を利用して売上ファイルに商品登録する。なお、店舗コンピュータ８０から自機（１０）にダウンロードされた商品情報ファイルを用いる場合もある。
【０００５】
そして、１客についての商品登録が終了した後に、１取引終了宣言（締め操作）をすると、合計金額の算出，各データの表示，レシートの印字発行等を含む会計処理が実行される。以上で、１客についての商品販売データ処理が終了する。
【０００６】
ところで、店舗の宣伝広告は、例えば地域限定紙への掲載やチラシの配布等によりなされるのが一般的である。しかし、これらは、コスト高になる割には人数的・地域的対象範囲が狭い。また、例えば特売に関してのタイムリー性に欠ける問題がある。例えば、即刻に価格変更（値下げ）したいが、これができないという問題である。
【０００７】
そこで、Ｗｅｂサーバー１００およびホストコンピュータ１１０を含み、インターネット１を介しての開示（宣伝広告）形式を採用した商品販売データ処理システムが提案されかつ普及拡大傾向にある。
【０００８】
すなわち、各店舗５００Ａ，５００Ｂ内の店舗コンピュータ８０にデータ通信回線（例えば、ＩＳＤＮ８９）を介して接続されたＷｅｂサーバー１００を設ける。このＷｅｂサーバー１００は、インターネット１を介してチェーン店本部２００内のホストコンピュータ（ＨＯＳＴ）１１０および顧客宅３００内の顧客パソコン（ＰＣ）９０に接続されている。
【０００９】
かくして、顧客パソコン９０を用いてＷｅｂサーバー１００にアクセスしてきた顧客に対して、商品販売情報公開処理機能が働きＷｅｂサーバー１００に記憶された商品販売情報を開示（提供）することができる。
【００１０】
【発明が解決しようとする課題】
ところで、Ｗｅｂサーバー１００で開示処理される商品販売情報は、当該Ｗｅｂサーバー１００内で作成される場合が多い。しかし、その基礎を成す商品情報（例えば、商品名，価格等）は、元々、各店舗５００（店舗コンピュータ８０乃至ターミナル１０）側またはチェーン店本部２００（ホストコンピュータ１１０）側の責任者によって設定入力（作成）されたものである。
【００１１】
つまり、Ｗｅｂサーバー１００側での開示対象である商品販売情報の作成に際しては、店舗５００側およびチェーン店本部２００側で印字出力された商品情報一覧リストを入手しかつこれを参照しつつ、当該各商品情報をキー入力（再入力）している。
【００１２】
すなわち、商品販売データ処理機能の実行用および商品販売情報公開処理機能の実行用の重複情報入力作業および入力された各情報の整合性（乃至同一性）を確認するための整合性確認作業が必要であるから、業務能率が悪くかつ入力された商品情報に誤りが生じる虞がある。
【００１３】
また、商品数や店舗数が増大する程に、商品販売情報の公開時期に関して商品ごとや店舗ごとの事情（例えば、店舗５００Ａにおいて、特売商品Ａは入荷済であるが、特売商品Ｂは未入荷のため特売開始期日を１日遅らせたい場合等）が発生し易い。しかし、公開内容はＷｅｂサーバー１００側で入力かつ作成されるので、これに応えた運用ができないとの指摘がある。つまり、例えば特売商品についての商品販売データ処理機能の実行可能日や商品販売情報入力作成日との関係で、効果的な時期を選んで公開したいとの要求が強い。
【００１４】
本発明の目的は、重複情報入力作業および整合性確認作業を一掃化しつつ商品情報をインターネット上に正確かつ迅速に公開することができる商品販売データ処理システムを提供することにある。また、本発明の他の目的は、商品販売データ処理機能の実行可能日や商品販売情報入力作成日との関係で効果的な時期を選んで公開することができる商品販売データ処理システムを提供することにある。
【００１５】
【課題を解決するための手段】
請求項１の発明は、商品情報ファイルに記憶された商品情報を利用して実行可能な商品販売データ処理機能およびインターネットに接続されたＷｅｂサーバーを介して実行可能な商品販売情報公開処理機能を有する商品販売データ処理システムにおいて、前記商品情報ファイルに記憶された商品情報の中から選択された商品に係る選択商品情報を前記インターネット上で公開するための公開指定日を当該選択商品情報に関連付けて前記商品情報ファイルに記憶可能かつ商品情報ファイルから抽出した選択商品情報および当該公開指定日を前記Ｗｅｂサーバーに送信可能に形成し、前記Ｗｅｂサーバーが受信しかつ公開指定日が関連付けられた選択商品情報を利用して公開選択商品情報を作成可能かつ作成された公開選択商品情報の中で当該公開指定日が過ぎている公開選択商品情報を前記商品販売情報公開処理機能の実行により前記インターネット上に公開可能に形成されている商品販売データ処理システムである。
【００１６】
かかる発明では、商品情報ファイルに記憶された商品情報の中から選択された商品についてインターネット上で公開するための公開指定日を、当該選択商品情報に関連付けて商品情報ファイルに記憶しておく。
【００１７】
そして、商品情報ファイルに記憶された商品情報の中からＷｅｂサーバーに送信してインターネット上に開示しようとする公開指定日が関連付けられた商品を選択する。手動選択方法でも例えば最新に設定記憶や変更された商品を自動的に選択する方法でもよい。
【００１８】
このようにして選択された商品に係る選択商品情報および当該公開指定日が商品情報ファイルに記憶された商品情報の中から抽出され、抽出選択商品情報および公開指定日はＷｅｂサーバーに送信される。
【００１９】
Ｗｅｂサーバーは、店舗内サーバーから受信した選択商品情報を利用して公開選択商品情報を作成する。なお、公開選択商品情報以外の公開選択情報（商品販売情報）は、Ｗｅｂサーバー内で全て入力して作成される。
【００２０】
この作成された公開選択商品情報の中で当該公開指定日が過ぎている公開選択商品情報が商品販売情報公開処理機能の実行により商品販売情報の場合と同様に直ちにインターネット上に公開される。公開指定日が例えば“９日”の場合、“８日”，“９日”は公開指定日を過ぎている、“１０日”は過ぎていない。公開指定日が過ぎていない当該公開選択商品情報に関しては、その公開を一時延期する。例えば公開選択商品情報に係る商品が店舗で実際に販売される日に公開させるように運用することができる。
【００２１】
したがって、商品販売データ処理機能の実行用および商品販売情報公開処理機能の実行用の重複情報入力作業および整合性確認作業を一掃化できかつ商品販売と直結する商品情報をインターネット上に正確かつ迅速に公開することができるとともに、さらに商品販売データ処理機能の実行可能日や商品販売情報入力作成日との関係で効果的な時期を選んで公開することができる。
【００２２】
また、請求項２の発明は、前記公開選択商品情報の中で当該公開指定日が過ぎていない公開選択商品情報に関しては、当該公開指定日が過ぎるまで当該公開選択商品情報に代えて予め作成された特売関連情報を前記インターネット上に公開可能に形成された商品販売データ処理システムである。
【００２３】
かかる発明では、公開しようとする特売商品情報つまり公開選択商品情報（例えば、商品名“白菜”、売価“１００円”）ごとの特売関連情報（例えば、無農薬・有機栽培品を廉価で近日大特売）を作成して記憶しておく。Ｗｅｂサーバーは、当日（例えば、９日）において、作成された公開選択商品情報の中で当該公開指定日（“９日”）が過ぎている公開選択商品情報については直ちにインターネット上に公開するが、公開指定日（“１０日”）が過ぎていない公開選択商品情報に関しては当該公開指定日（“１０日”）が過ぎるまで公開選択商品情報に代えて予め作成された特売関連情報をインターネット上に公開する。
【００２４】
したがって、請求項１の発明の場合と同様な作用効果を奏することができることに加え、さらに公開選択商品情報（例えば、特売商品と特売価格）に先立って店舗側および／または顧客側に有益な情報（例えば、近日大特売）を予告することができる。
【００２５】
また、請求項３の発明は、前記公開選択商品情報の中で当該公開指定日が過ぎていない公開選択商品情報に関しては当該公開指定日が過ぎるまで当該公開選択商品情報に代えて予め作成された特売関連情報を前記インターネット上に公開可能であるとともに当該公開指定日が過ぎた後は当該公開選択商品情報と特売関連情報とを時間的交互に前記インターネット上に公開可能に形成された商品販売データ処理システムである。
【００２６】
かかる発明では、例えば公開選択商品情報ごとの特売関連情報（例えば、無農薬・有機栽培品を廉価で近日大特売）を作成して記憶しておく。Ｗｅｂサーバーは、作成された公開選択商品情報の中で最初から公開指定日が過ぎている公開選択商品情報については直ちにインターネット上に公開する。
【００２７】
しかし、公開指定日が過ぎていない公開選択商品情報に関しては、当該公開指定日が過ぎるまで公開選択商品情報に代えて予め作成された特売関連情報をインターネット上に公開する。その後に当該公開指定日が過ぎた後は、当該公開選択商品情報と特売関連情報とを時間的交互にインターネット上に公開する。
【００２８】
したがって、請求項１の発明の場合と同様な作用効果を奏することができることに加え、さらに公開選択商品情報（例えば、特売商品および特売価格）に先立って店舗側および／または顧客側に有益な情報（例えば、近日大特売）を予告することができるとともに、公開指定日が過ぎた後は両者（“特売商品および特売価格”と“近日大特売”）とを例えば３秒ごとに切換えできるから、請求項２の発明の場合と比較して宣伝効果を視覚的かつ動的に一段と向上させられる。
【００２９】
さらに、請求項４の発明は、ホストコンピュータと，ホストコンピュータとデータ通信可能な前記Ｗｅｂサーバーと，各店舗に配設されかつそれぞれがホストコンピュータとデータ通信可能な店舗コンピュータと，各店舗に配設されかつそれぞれが当該店舗コンピュータとデータ通信可能なターミナルとを有し、
ホストコンピュータから前記Ｗｅｂサーバーおよび各店舗コンピュータに前記公開指定日が関連付けられた選択商品情報を含む商品情報を配信可能であるとともに、各店舗内の店舗コンピュータまたはターミナルを用いてホストコンピュータから受信した選択商品情報に係る公開指定日を変更可能かつ変更後の公開指定日を当該選択商品情報を特定して前記Ｗｅｂサーバーに送信可能に形成され、前記Ｗｅｂサーバーが店舗コンピュータまたはターミナルから変更後の公開指定日を受信した場合にはホストコンピュータから受信した当該選択商品情報に関連付けられた公開指定日を店舗コンピュータまたはターミナルから受信した変更後の公開指定日に書換え更新可能に形成された商品販売データ処理システムである。
【００３０】
かかる発明では、ホストコンピュータは、公開指定日が関連付けられた選択商品情報を含む商品情報をＷｅｂサーバーおよび各店舗コンピュータにそれぞれに配信する。店舗コンピュータは、変更作業をターミナルで実行させようとする場合には、当該各ターミナルまたは指定したターミナルにそれを送信することができる。
【００３１】
店舗内の店舗コンピュータ（または、ターミナル）は、ホストコンピュータから受信した選択商品情報に係る公開指定日を変更することができる。また、変更後の公開指定日を、当該選択商品情報を特定してＷｅｂサーバーに送信することができる。
【００３２】
Ｗｅｂサーバーは、店舗コンピュータ（または、ターミナル）から公開指定日を受信した場合には、ホストコンピュータから受信した当該選択商品情報に関連付けられた公開指定日を店舗コンピュータ（または、ターミナル）から受信した当該公開指定日に書換え更新することができる。なお、複数の店舗コンピュータから受信した場合は、例えば最も遅い公開指定日とする。店舗コンピュータ（または、ターミナル）から公開指定日を受信しない場合には、ホストコンピュータから受信した当該選択商品情報に関連付けられた公開指定日はそのままである。
【００３３】
したがって、請求項１から請求項３までの各発明の場合と同様な作用効果を奏することができることに加え、さらに各店舗に選択商品情報に係る公開指定日変更権が与えられるので、当該各店舗での実際商品販売日等に関する事情に対応させ易い。
【００３４】
さらにまた、請求項５の発明は、前記選択商品情報を顧客管理ファイルで管理されている顧客に電子メールとして送信可能に形成された商品販売データ処理システムである。
【００３５】
かかる発明では、選択商品情報を顧客管理ファイルで管理（記憶）されている顧客に電子メールとして送信することができるので、請求項１から請求項４までの各発明の場合と同様な作用効果を奏することができることに加え、さらにインターネット上の公開に比較して顧客が喜ぶ個別的サービスを提供できる。
【００３６】
【発明の実施の形態】
以下、本発明の実施形態について図面を参照して説明する。
【００３７】
（第１の実施形態）
本商品販売データ処理システムは、図１〜図１２に示す如く、基本的構成・機能が従来例の場合（図１４）と同様に商品情報ファイル（店舗商品マスターファイル８４ＭＦ）に記憶された商品情報を利用して実行可能な商品販売データ処理機能およびインターネット１に接続されたＷｅｂサーバー１００を介して実行可能な商品販売情報公開処理機能を有し、さらに商品情報ファイル［本部商品マスターファイル１１４ＭＦ（店舗商品マスターファイル８４ＭＦとしても実施可能である。）］に記憶された商品情報の中から選択された商品に係る選択商品情報を抽出してＷｅｂサーバー１００に送信可能に形成し、このＷｅｂサーバー１００が受信した選択商品情報を利用して公開選択商品情報を作成可能かつ作成された公開選択商品情報を商品販売情報公開処理機能の実行によりインターネット１上につまり各顧客（９０）に公開可能に形成されている。
【００３８】
この第１の実施形態においては、商品販売データ処理システムは、ホストコンピュータ１１０と，ホストコンピュータ１１０とデータ通信可能なＷｅｂサーバー１００と，各店舗５００に配設されかつそれぞれがホストコンピュータ１１０とデータ通信可能な店舗コンピュータ（ストアコントローラ）８０と，それぞれが当該店舗コンピュータ８０とデータ通信可能な複数のターミナル１０とを有し、ホストコンピュータ１１０からＷｅｂサーバー１００および各店舗コンピュータ８０（または、ターミナル１０）に公開指定日が関連付けられた選択商品情報を含む商品情報を配信可能であるとともに、店舗コンピュータ８０（または、ターミナル１０）を用いてホストコンピュータ１１０から受信した選択商品情報に係る公開指定日を変更可能かつ変更後の公開指定日を当該選択商品情報を特定してＷｅｂサーバー１００に送信可能に形成され、このＷｅｂサーバー１００を店舗コンピュータ８０（ターミナル１０）から公開指定日を受信した場合にホストコンピュータ１１０から受信した当該選択商品情報に関連付けられた公開指定日を店舗コンピュータ８０（ターミナル１０）から受信した変更後の公開指定日に書換え更新可能に形成してある。
【００３９】
なお、上記場合において、ホストコンピュータ１１０の役割を全てまたは一部の店舗コンピュータ８０に持たせ、かつ各店舗コンピュータ８０の役割を当該店舗内の全てまたは一部のターミナル１０に持たせるように構築しても良い。
【００４０】
図１において、ターミナル１０を構成する電子キャッシュレジスタは、図１に示す標準入力装置（キーボード４３）を含むパソコン２０に、外部入出力装置を接続してなる。
【００４１】
パソコン２０は、マザーボードにＣＰＵ３１，ＲＯＭ３２，ＲＡＭ３３および時計回路等（図示省略）を実装した構成の制御部３０に、ＨＤＤ（ハードディスク装置）４１，ＦＤＤ（フレキシブルディスク装置）４２，上記キーボード４３，入出力ポート（Ｉ／Ｏ）４６・４７およびデータ通信回線（ＬＡＮ４５）を介してデータ通信するための通信用インターフェイス（Ｉ／Ｆ）４４等を接続してなる。
【００４２】
入出力ポート４６にはその他の入力装置を形成するスキャナ（ＳＣＮ）７１およびポイントカードなど用のカードリーダライター（Ｒ／Ｗ）７３が接続され、入出力ポート４７にはプリンタ（ＰＮＴ）７５およびその他の出力装置（ＯＴＨ…自動開放型のドロワ等）７６が接続されている。
【００４３】
また、制御部３０には、表示手段６０を構成するオペレータ用表示器（ＦＩＵ）６１および客用表示器（ＢＩＵ）６５が表示用コントローラ５０を介して接続されている。また、各コントローラ（ＣＯＮＴ）を介してオペレータ用表示器（ＦＩＵ）６１に対応するタッチパネル６２および客用表示器（ＢＩＵ）６５に対応するタッチパネル６６が接続されている。
【００４４】
電子キャッシュレジスタ（１０）の基本的な商品販売データ処理機能は、スキャナ７１を用いて顧客購入商品に付設（印刷やラベル貼付等）された商品コードを読取入力（図１０のＳＴ５０でＹＥＳ）すると、制御部３０が店舗コンピュータ８０に商品コードを付して問合せる（ＳＴ５１）。
【００４５】
店舗コンピュータ８０から応答（ＳＴ５２のＹＥＳ，ＳＴ５３のＮＯ）された商品コードに対応する商品情報（商品名，単価等）を取得し、売上ファイル４１Ｒに商品（売上）登録する（ＳＴ５４）する。店舗コンピュータ８０から予めダウンロードされた自機内（１０）の商品ファイル４１Ｆを参照して商品情報（商品データ）を抽出（入手）するようにしてもよい。なお、応答がない場合（ＳＴ５２でＮＯ）、エラー応答である場合（ＳＴ５３のＹＥＳ）は、エラー処理（ＳＴ５５）である。
【００４６】
１取引宣言としての締め操作がなされる（ＳＴ５６のＹＥＳ）と、制御部３０は、合計金額の算出等を含む会計処理（ＳＴ５７）を実行する。この会計処理には、会計データの表示器（６１，６５）への表示，プリンタ７５を駆動制御しつつ印刷したレシートの発行や，ドロワ（７６）の自動開放等も含まれる。
【００４７】
図２において、店舗５００Ａ（５００Ｂ）内の各ターミナル１０の上位機を構成する店舗コンピュータ（ストアコントローラ）８０は、ＣＰＵ８１，ＲＯＭ８２，ＲＡＭ８３，ＨＤＤ８４，キーボード（ＫＢ）８５，表示器（ＩＮＤ）８６，プリンタ（ＰＲＴ）８７およびデータ通信回線（ＬＡＮ４５，ＩＳＤＮ８９）用の各通信用インターフェイス（Ｉ／Ｆ）を含み、ターミナル一括管理機能等を有する。なお、店舗コンピュータは、サーバーとクライアントＰＣ（パソコン）から形成してもよい。
【００４８】
ＨＤＤ８４内には、店舗商品マスターファイル（商品情報ファイル）８４ＭＦ，売上マスターファイル８４ＭＲが設けられている。店舗商品マスターファイル（商品情報ファイル）８４ＭＦにホストコンピュータ１１０からダウンロードされあるいは自機（８０）内で設定入力された商品情報が記憶される。また、記憶された全部または一部の商品情報を各ターミナル１０（商品ファイル４１Ｆ）にダウンロードすることができる。
【００４９】
基本的な商品販売データ処理機能に関して、ターミナル１０からの問合を受信（図９のＳＴ４０でＹＥＳ）すると、店舗商品マスターファイル８４ＭＦを検索（ＳＴ４１）して商品コードに対応する商品情報を抽出（ＳＴ４２でＹＥＳ，ＳＴ４３でＮＯ）し、抽出した商品情報を当該ターミナル（ＴＭ）１０に応答する（ＳＴ４５）。なお、エラー応答（ＳＴ４６）をする場合がある（ＳＴ４２でＮＯ、ＳＴ４４でＮＯ）。
【００５０】
図３において、ホストコンピュータ１１０は、ＣＰＵ１１１，ＲＯＭ１１２，ＲＡＭ１１３，ＨＤＤ１１４，キーボード（ＫＢ）１１５，表示器（ＩＮＤ）１１６，プリンタ（ＰＮＴ）１１７およびデータ通信回線（インターネット１）用の通信用インターフェイス（Ｉ／Ｆ）を含み、店舗コンピュータ一括管理機能等を有する。なお、サーバーとクライアントＰＣ（パソコン）から形成してもよい。
【００５１】
ＨＤＤ１１４には、本部商品マスターファイル（商品情報ファイル）１１４ＭＦおよび顧客ファイル１１４ＣＳＴが設けられている。顧客ファイル１１４ＣＳＴには、会員（顧客）番号，氏名，住所，電話番号等とともに電子メールアドレスが記憶されている。
【００５２】
本部商品マスターファイル１１４ＭＦには、図４に示す如く、商品販売データ処理機能の実行に関しての商品情報［商品コード（例えば、１００１），品名（例えば、ＡＡＡ），単価（例えば、２００円）］を設定記憶できかつ各店舗５００内の店舗コンピュータ８０（店舗商品マスターファイル８４ＭＦ）に配信（ダウンロード）することができる。
【００５３】
また、商品販売情報公開処理機能に関しては、商品情報ファイル（本部商品マスターファイル１１４ＭＦ）として、上記商品情報の他に自機（１１０）内で入力した公開要否判別フラグ（特売フラグ…１：公開，０：非公開）および公開指定日（例えば、“１０日”）が設定記憶される。
【００５４】
ここに、Ｗｅｂサーバー１００は、図５に示す如く、ＣＰＵ１０１，ＲＯＭ１０２，ＲＡＭ１０３，ＨＤＤ１０４，キーボード（ＫＢ）１０５，表示器（ＩＮＤ）１０６，プリンタ（ＰＮＴ）１０７およびデータ通信回線（インターネット１，ＩＳＤＮ８９）用の各通信用インターフェイス（Ｉ／Ｆ）を含み、商品販売情報公開処理機能を有する。
【００５５】
ＨＤＤ１０４内には、図６に示す一体的に形成された選択情報ファイル１０４ＩＦ，選択商品（特売商品）情報ファイル１０４ＧＩＦおよび特売関連情報ファイル１４０ＧＩＦＴと、図５に示す公開選択情報ファイル１０４ＫＩＦとが設けられている。なお、この第１の実施形態では、特売商品を選択商品としている。
【００５６】
選択情報ファイル１０４ＩＦには、インターネット１上に公開するものとして選択されかつ自機（１００）内で作成された各種情報（例えば、“店舗紹介記事”，“割引券発行”等）つまり商品販売情報が記憶される。
【００５７】
また、選択商品情報ファイル１０４ＧＩＦには、インターネット１上に公開するものとして選択された商品の情報つまり選択商品情報（例えば、“ＡＡＡ”，“２００円”）およびその公開指定日（例えば、“１０日”）が記憶される。これら情報は、ホストコンピュータ１１０から受信したものである。
【００５８】
また、特売関連情報ファイル１４０ＧＩＦＴには、特に売上促進・向上のために当該特売（乃至特売商品）と関連させた情報つまり特売関連情報（例えば、“近日大特売”）が記憶される。
【００５９】
さらに、公開選択情報ファイル１０４ＫＩＦには、自機（１００）内において選択情報，選択商品（特売商品）情報および特売関連情報を元に作成（編集）した公開選択情報，公開選択商品情報および公開特売関連情報がホームページの一部として記憶される。
【００６０】
各顧客宅３００内の顧客パソコン９０は、格別のものでなく、少なくともＷｅｂブラウザがインストールされＷｅｂサーバー１００にアクセスしてホームページを閲覧できる機能を具備すればよい。この意味において、顧客側の閲覧手段としては、携帯情報端末（ＰＤＡ）や携帯電話端末等であってもよいと理解される。
【００６１】
ここにおいて、ホストコンピュータ１１０では、メンテナンス要求（図７のＳＴ１７でＹＥＳ）をしたオペレータは、表示器１１６のメンテナンス画面を参照しかつキーボード１１５を用いて特売商品の旨（この実施形態では、公開対象として選択された商品とする旨。）をキー入力（ＳＴ１８でＹＥＳ）し、引続き公開指定日をキー入力（ＳＴ１９でＹＥＳ）する。
【００６２】
入力された特売商品の旨は、図４に示す特売フラグ（公開要否判別フラグ）をセット（“１”）することで商品情報ファイル（本部商品マスターファイル１１４ＭＦ）に記憶（ＳＴ２２）され、入力（ＳＴ１９でＹＥＳ）された公開指定日（“１０日”）も図４の特売（公開）欄に記憶（ＳＴ２２）される。
【００６３】
なお、商品が特売商品でない場合（ＳＴ１８でＮＯ）には、公開指定日は入力する必要がない。
【００６４】
そして、当該商品情報つまり特売商品（選択商品）の商品コード，商品名，売価（価格）［例えば、“１００１”，“ＡＡＡ”，“２００円”］を入力する（ＳＴ２０でＹＥＳ，ＳＴ２１でＹＥＳ）。入力された商品情報は、本部商品マスターファイル１１４ＭＦの図４の商品情報欄に設定記憶される（ＳＴ２２）。なお、商品情報の入力は、ＳＴ１８に前後して実行可能に構築してもよい。
【００６５】
配信指令が発せられた場合（ＳＴ１０でＹＥＳ）、特売商品（選択商品）情報抽出手段（ＣＰＵ１１１，ＲＯＭ１１２）は、本部商品マスターファイル１１４ＭＦを検索（ＳＴ１１）して特売商品情報を抽出（ＳＴ１２）しつつメモリ（ＲＡＭ１１３）に一次記憶（ＳＴ１３）する。
【００６６】
これが終了（ＳＴ１４でＹＥＳ）すると、特売商品（選択商品）情報配信制御手段（ＣＰＵ１１１，ＲＯＭ１１２）は、各店舗（または、指定された店舗）５００内の店舗コンピュータ８０に抽出された特売商品情報を配信（ＳＴ１５）する。また、特売商品（選択商品）情報送信制御手段（ＣＰＵ１１１，ＲＯＭ１１２）は、Ｗｅｂサーバー１００に抽出された特売商品（選択商品）情報を送信（ＳＴ１６）する。
【００６７】
さらに、電子メール要求が発せられた場合（図８のＳＴ２３でＹＥＳ）には、特売商品情報（選択商品）抽出手段（ＣＰＵ１１１，ＲＯＭ１１２）が、本部商品マスターファイル１１４ＭＦを検索（ＳＴ２４）しつつ特売商品情報を抽出（ＳＴ２５）する。
【００６８】
また、会員情報抽出手段（ＣＰＵ１１１，ＲＯＭ１１２）が、顧客ファイル１１４ＣＳＴを検索（ＳＴ２６）して会員情報（電子メールアドレスを含む。）を抽出（ＳＴ２７）する。この場合には、電子メールアドレスだけ抽出するようにしてもよい。メール送信制御手段（ＣＰＵ１１１，ＲＯＭ１１２）は、抽出された顧客（会員）のアドレス宛に電子メール（特売商品情報）を送信（ＳＴ２８，ＳＴ２９のＮＯ）する。
【００６９】
なお、電子メールは、自機（８０）内の顧客ファイルを用いて各店舗コンピュータ８０から当該各顧客（会員）に送信するように形成してもよい。
【００７０】
店舗５００側の店舗コンピュータ（ストアコントローラＳＣ）８０では、ホストコンピュータ１１０から商品情報（商品コード，商品名，単価等）を受信（図９のＳＴ３０でＹＥＳ）すると、商品情報記憶制御手段（ＣＰＵ８１，ＲＯＭ８２）が店舗商品マスターファイル８４ＭＦにそれらを記憶（ＳＴ３１）する。
【００７１】
この際の商品情報は、一般的な商品情報の他に特売商品（選択商品）情報の場合もある。この意味において、店舗商品マスターファイル８４ＭＦは、図４に示す本部商品マスターファイル１１４ＭＦの場合と同じ形式（同一記憶欄を有する。）とされている。なお、この実施形態では、各ターミナル１０内の商品ファイル４１Ｆも同一形式とされている。
【００７２】
さて、特売商品（選択商品）情報判別手段（ＣＰＵ８１，ＲＯＭ８２）によってメモリに一時記憶された商品情報が特売商品（選択商品）情報であると判別できた場合（ＳＴ３２でＹＥＳ）には、特売商品（選択商品）情報表示制御手段（ＣＰＵ８１，ＲＯＭ８２）が、当該特売商品情報を表示器８６に一覧的に表示（ＳＴ３３）する。この段階で、店長等は表示された各公開指定日がそのままでよいか否かを判断することができる。
【００７３】
変更を望む場合は、キー入力により公開指定日の変更要求を成す（ＳＴ３４でＹＥＳ）。しかる後に、一覧的に表示された複数の特売商品（選択商品）情報の中から変更したい特売商品（選択商品）を指定（ＳＴ３５でＹＥＳ）し、指定（選択）した特売商品（選択商品）に関する公開指定日（例えば、“９日”）を変更する新たな日（例えば、“１０日”）として変更入力（ＳＴ３６でＹＥＳ）する。
【００７４】
公開指定日更新制御手段（ＣＰＵ８１，ＲＯＭ８２）は、店舗商品マスターファイル８４ＭＦに記憶されていた古い公開指定日（“９日”）を新しい公開指定日（“１０日”）に更新（ＳＴ３７）する。更新後に当該特売商品（選択商品）情報をＷｅｂサーバー１００へ送信する（ＳＴ３８）。公開指定日が変更された全て（ＳＴ３９でＮＯ）の特売商品（選択商品）情報について送信する。
【００７５】
なお、選択した全ての特売商品情報（公開指定日）の変更後にそれらを例えばリスト形式で一括して送信してもよい。
【００７６】
Ｗｅｂサーバー１００では、ホストコンピュータ１１０から特売商品（選択商品）情報を受信（図１１のＳＴ６０でＹＥＳ）すると、特売商品（選択商品）情報記憶制御手段（ＣＰＵ１０１，ＲＯＭ１０２）が、当該特売商品情報を図６に示す選択商品（特売商品）情報ファイル１０４ＧＩＦの選択商品情報欄に記憶（ＳＴ６１）する。
【００７７】
また、店舗コンピュータ８０（または、ターミナル１０）から変更後の公開指定日を受信した場合（ＳＴ６２でＹＥＳ）には、特売商品情報記憶制御手段（ＣＰＵ１０１，ＲＯＭ１０２）は、図６に示す選択商品（特売商品）情報ファイル１０４ＧＩＦの公開指定日欄を更新記憶（ＳＴ６３）する。
【００７８】
キーボード１０５を用いて入力した特売関連情報（例えば、“近日大特売”）は、図６に示す選択商品情報ファイル１０４ＧＩＦと一体的に形成された特売関連情報ファイル１０４ＧＩＦＴに記憶される（ＳＴ６４でＹＥＳ，ＳＴ６５でＹＥＳ，ＳＴ６６）。
【００７９】
なお、選択情報ファイル１０４ＩＦには、自機（１００）内で作成した公開すべき選択情報（商品販売情報）が記憶されている。
【００８０】
かくして、情報記憶有無判別手段（ＣＰＵ１０１，ＲＯＭ１０２）は、図６の選択情報ファイル１０４ＩＦおよび選択商品情報ファイル１０４ＧＩＦを検索（図１２のＳＴ７０）して、特売商品（選択商品）情報の記憶有無を判別（ＳＴ７１）し、選択情報の記憶有無をも判別（ＳＴ７２）する。
【００８１】
なお、選択情報の記憶有無判別（ＳＴ７２）は、特売商品（選択商品）情報の記憶が無いと判別（ＳＴ７１でＮＯ）された場合の他、図１２では図示省略したが特売商品（選択商品）情報の記憶有と判別（ＳＴ７１でＹＥＳ）された場合でも全抽出・作成・記憶（ＳＴ７３〜ＳＴ７７）の終了後に実行される。その開始前に行なうように形成してもよい。
【００８２】
公開選択商品（特売商品）情報作成手段（ＣＰＵ１０１，ＲＯＭ１０２）は、公開指定日経過判別手段（ＣＰＵ１０１，ＲＯＭ１０２）によって公開指定日が過ぎていると判別（ＳＴ７３でＹＥＳ）されかつ情報抽出手段（ＣＰＵ１０１，ＲＯＭ１０２）によって選択商品情報ファイル１０４ＧＩＦから抽出（ＳＴ７４）された選択商品（特売商品）情報から公開選択商品（特売商品）情報を作成（ＳＴ７６）する。
【００８３】
公開特売関連情報作成手段（ＣＰＵ１０１，ＲＯＭ１０２）は、公開指定日経過判別手段（ＣＰＵ１０１，ＲＯＭ１０２）によって公開指定日が過ぎていないと判別（ＳＴ７３でＮＯ）されかつ情報抽出手段（ＣＰＵ１０１，ＲＯＭ１０２）によって特売関連情報ファイル１０４ＧＩＦＴから抽出（ＳＴ７５）された特売関連情報から公開特売関連情報を作成（ＳＴ７６）する。
【００８４】
なお、選択情報ファイル１０４ＩＦに記憶されている選択情報（商品販売情報）から公開選択情報（商品販売情報）が作成される（ＳＴ７２でＹＥＳ，ＳＴ７９）。選択情報の記憶がない場合（ＳＴ７２でＮＯ）の場合は終了する。
【００８５】
ホームページに組み入れた状態でかつ公開可能な形式で作成された公開選択情報，公開選択商品（特売商品）情報および公開特売関連情報は、公開選択情報記憶手段（ＣＰＵ１０１，ＲＯＭ１０２）によって、図５に示す公開選択情報ファイル１０４ＫＩＦに記憶される（ＳＴ７７）。全てについて行う（ＳＴ７８でＹＥＳ）。
【００８６】
かくして、Ｗｅｂサーバー１００は、外部（顧客ＰＣ９０）から自店舗ホームページにアクセスされた場合に、商品販売情報公開処理機能によって図５に示す公開選択ファイル１０４ＫＩＦに記憶されている公開選択情報，公開選択商品（特売商品）情報および公開特売関連情報を公開する。
【００８７】
詳しくは、特売商品情報（公開選択商品情報）が存在すると判別された場合（ＳＴ７１でＹＥＳ）で当日（例えば、１０日）が当該商品についての公開指定日（例えば、１０日）以降である、つまり公開指定日が過ぎている場合（ＳＴ７３でＹＥＳ）は公開選択商品（特売商品）情報が公開され、公開指定日が過ぎていない場合（ＳＴ７３でＮＯ）には公開選択商品（特売商品）情報に代えて特売関連情報が公開される。公開選択情報は、これら［公開選択商品（特売商品）情報および公開指定日］と関係なく公開される。
【００８８】
しかして、この第１の実施形態によれば、商品販売データ処理機能の実行に利用するための商品情報を商品情報ファイル（本部商品マスターファイル１１４ＭＦ）に設定記憶する。同様に、商品情報の変更・削除等も行なう。
【００８９】
そして、商品情報ファイル（１１４ＭＦ）に記憶された商品情報の中からＷｅｂサーバー１００に送信してインターネット１上に開示しようとする商品を選択する（図７のＳＴ１８でＹＥＳ）。
【００９０】
選択された商品に係る選択商品（特売商品）情報が商品情報ファイル（１１４ＭＦ）に記憶された商品情報の中から抽出されかつ当該抽出選択商品（特売商品）はＷｅｂサーバー１００に送信（図７のＳＴ１６）される。
【００９１】
Ｗｅｂサーバー１００は、ホストコンピュータ１１０から受信した選択商品（特売商品）情報を利用して公開選択商品（特売商品）情報を作成（図１２のＳＴ７６）する。この作成された公開選択商品情報は、商品販売情報公開処理機能の実行によりインターネット上に公開される。つまり、商品情報ファイル（１１４ＭＦ）に記憶された商品情報の中から抽出された選択商品（特売商品）情報をプリントアウトしかつこのプリントを参照しつつＷｅｂサーバー１００側において選択商品情報（商品名，売価等）をキー入力していた従来例によるデータ入力作業および入力データチェック作業を一掃化できると理解される。
【００９２】
すなわち、商品販売データ処理機能の実行用および商品販売情報公開処理機能の実行用の重複情報入力作業および整合性確認作業を一掃化できかつ商品販売と直結する商品情報をインターネット上に正確かつ迅速に公開することができるわけである。
【００９３】
また、商品情報ファイル（１１４ＭＦ）に記憶された商品情報の中から選択された商品（選択商品…特売商品）についてインターネット１上で公開するための公開指定日が、当該選択商品情報に関連付けて商品情報ファイル（１１４ＭＦ）に記憶されている。
【００９４】
そして、選択商品情報および当該公開指定日がＷｅｂサーバー１００に送信され、このＷｅｂサーバー１００が、受信した選択商品情報および公開指定日を利用して公開選択商品（特別商品）情報を作成しかつ作成された公開選択商品情報の中で当該公開指定日が過ぎている公開選択商品情報を商品販売情報公開処理機能の実行により直ちにインターネット１上に公開する。
【００９５】
公開指定日が過ぎていない当該公開選択商品情報に関しては、その公開を一時延期する。例えば公開選択商品情報に係る商品が店舗で実際に販売される日に公開させるように運用することができる。つまり、商品販売データ処理機能の実行開始日や商品販売情報入力作成日との関係で効果的な時期を選んで公開することができる。
【００９６】
また、公開選択商品情報ごとの特売関連情報（例えば、“無農薬・有機栽培品を廉価で近日大特売”）を作成して記憶しておき、Ｗｅｂサーバー１００は、作成された公開選択商品情報の中で当該公開指定日が過ぎている公開選択商品情報は直ちにインターネット１上に公開するが、公開指定日が過ぎていない公開選択商品情報に関しては当該公開指定日が過ぎるまで公開選択商品情報に代えて予め作成された特売関連情報をインターネット１上に公開する。かくして、公開選択商品情報（例えば、特売商品と特売価格）に先立って店舗側および／または顧客側に有益な情報（例えば、近日大特売）を予告することができる。
【００９７】
さらに、ホストコンピュータ１１０が公開指定日が関連付けられた選択商品情報を含む商品情報をＷｅｂサーバー１００および各店舗コンピュータ８０にそれぞれに配信する。
【００９８】
店舗内の店舗コンピュータ８０（または、ターミナル１０）は、ホストコンピュータ１１０から受信した選択商品情報に係る公開指定日を変更することができる。また、変更後の公開指定日を、当該選択商品情報を特定してＷｅｂサーバー１００に送信することができる。
【００９９】
Ｗｅｂサーバー１００は、店舗コンピュータ８０（または、ターミナル１０）から公開指定日を受信した場合にはホストコンピュータ１１０から受信した当該選択商品情報に関連付けられた公開指定日を、店舗コンピュータ８０（または、ターミナル１０）から受信した当該公開指定日に書換え更新（図１１のＳＴ６３）することができる。
【０１００】
店舗コンピュータ８０（または、ターミナル１０）から公開指定日を受信しない場合には、ホストコンピュータ１１０から受信した当該選択商品情報に関連付けられた公開指定日はそのままである。したがって、各店舗５００に選択商品情報に係る公開指定日変更権が与えられるので、当該各店舗での実際商品販売日等に関する事情に対応させ易い。
【０１０１】
さらにまた、選択商品情報を顧客管理ファイル１１４ＣＳＴに記憶されている顧客に電子メールとして送信することができるので、インターネット１上の公開に比較して顧客が喜ぶ個別的サービスを提供できる。
【０１０２】
（第２の実施形態）
この第２の実施形態は、基本的構成・機能が第１の実施形態の場合と同様（下記を除く。）とされているが、さらに公開選択商品情報と特売関連情報とを時間的交互にインターネット１上に公開可能に形成してある。
【０１０３】
すなわち、公開選択商品情報の中で当該公開指定日が過ぎていない公開選択商品情報に関しては、第１の実施形態の場合と同様、当該公開指定日が過ぎるまで当該公開選択商品情報に代えて予め作成された特売関連情報をインターネット１上に公開可能であるとともに、当該公開指定日が過ぎた後は当該公開選択商品情報と特売関連情報とを時間的交互にインターネット１上に公開可能に形成されている。
【０１０４】
つまり、かかる第２の実施形態では、例えば公開選択商品情報ごとの特売関連情報（例えば、無農薬・有機栽培品を廉価で近日大特売）を作成して特売関連情報ファイル１０４ＧＩＦＴに記憶しておく。Ｗｅｂサーバー１００は、作成された公開選択商品情報の中で最初から公開指定日が過ぎている公開選択商品情報については直ちにインターネット１上に公開する。
【０１０５】
しかし、公開指定日が過ぎていない公開選択商品情報に関しては、当該公開指定日が過ぎるまで公開選択商品情報に代えて予め作成された特売関連情報をインターネット１上に公開する。
【０１０６】
その後に当該公開指定日が過ぎた後は、当該公開選択商品情報と特売関連情報とを時間的交互にインターネット１上に公開（図１３のＳＴ８１，ＳＴ８３）する。詳しくは、顧客ＰＣ９０のアクセスがあった場合（図１３のＳＴ８０でＹＥＳ）、公開選択商品情報（公開特売商品情報）を公開表示する（ＳＴ８１）。切換表示設定済である（ＳＴ８２でＹＥＳ）と、特売関連情報に切換表示する（ＳＴ８３）。終了となるまで（ＳＴ８４のＮＯ）、設定時間ごとに交互に公開表示する。
【０１０７】
したがって、第１の実施形態の場合と同様な作用効果を奏することができることに加え、さらに公開選択商品情報（例えば、特売商品および特売価格）に先立って店舗側および／または顧客側に有益な情報（例えば、近日大特売）を予告することができるとともに、公開指定日が過ぎた後は両者（“特売商品および特売価格”と“近日大特売”）を例えば３秒ごとに切換えできるから、宣伝効果を視覚的かつ動的に向上できる。
【０１０８】
【発明の効果】
請求項１の発明によれば、商品情報ファイルに記憶された商品情報中の選択商品情報に公開指定日を当該選択商品情報に関連付けて記憶可能かつ商品情報ファイルから抽出した選択商品情報および当該公開指定日をＷｅｂサーバーに送信可能で、このＷｅｂサーバーが受信した選択商品情報を利用して公開選択商品情報を作成した公開選択商品情報の中で当該公開指定日が過ぎている公開選択商品情報を商品販売情報公開処理機能によりインターネット上に公開可能に形成された商品販売データ処理システムであるから、商品販売データ処理機能の実行用および商品販売情報公開処理機能の実行用の重複情報入力作業および整合性確認作業を一掃化できかつ商品販売と直結する商品情報をインターネット上に正確かつ迅速に公開することができるとともに、さらに商品販売データ処理機能の実行開始日や商品販売情報入力作成日との関係で効果的な時期を選んで公開することができる。
【０１０９】
また、請求項２の発明によれば、公開選択商品情報の中で当該公開指定日が過ぎていない公開選択商品情報に関しては、当該公開指定日が過ぎるまで当該公開選択商品情報に代えて予め作成された特売関連情報を公開可能に形成されているので、請求項２の発明の場合と同様な効果を奏することができることに加え、さらに公開選択商品情報（例えば、特売商品と特売価格）に先立って店舗側および／または顧客側に有益な情報（例えば、近日大特売）を予告することができる。
【０１１０】
また、請求項３の発明によれば、公開選択商品情報の中で当該公開指定日が過ぎていない公開選択商品情報に関しては当該公開指定日が過ぎるまで当該公開選択商品情報に代えて予め作成された特売関連情報を公開可能で、当該公開指定日が過ぎた後は当該公開選択商品情報と特売関連情報とを時間的交互にインターネット上に公開可能に形成されているので、請求項２の発明の場合と同様な効果を奏することができることに加え、さらに公開選択商品情報（例えば、特売商品および特売価格）に先立って店舗側および／または顧客側に有益な情報（例えば、近日大特売）を予告することができるとともに、公開指定日が過ぎた後は両者（“特売商品および特売価格”と“近日大特売”）とを例えば３秒ごとに切換えできるから宣伝効果を視覚的かつ動的に向上できる。
【０１１１】
さらに、請求項４の発明によれば、ホストコンピュータからＷｅｂサーバーに公開指定日が関連付けられた選択商品情報を含む商品情報を配信可能で、各店舗コンピュータを用いてホストコンピュータから受信した選択商品情報に係る公開指定日を変更可能かつ変更後の公開指定日を当該選択商品情報を特定してＷｅｂサーバーに送信可能に形成し、このＷｅｂサーバーが店舗コンピュータまたはターミナルから公開指定日を受信した場合にはホストコンピュータから受信した当該選択商品情報に関連付けられた公開指定日を店舗コンピュータまたはターミナルから受信した当該公開指定日に書換え更新可能に形成されているので、請求項１から請求項４までの各発明の場合と同様な効果を奏することができることに加え、さらに各店舗に選択商品情報に係る公開指定日変更権が与えられるので、当該各店舗での実際商品販売日等に関する事情に対応させ易い。
【０１１２】
さらにまた、請求項５の発明によれば、選択商品情報を顧客管理ファイルに記憶されている顧客に電子メールとして送信可能に形成されているので、請求項１から請求項５までの各発明の場合と同様な効果を奏することができることに加え、さらにインターネット上の公開に比較して顧客が喜ぶ個別的サービスを提供できる。
【図面の簡単な説明】
【図１】  本発明の第１の実施形態に係るターミナルを説明するためのブロック図である。
【図２】  同じく、店舗コンピュータを説明するためのブロック図である。
【図３】  同じく、ホストコンピュータを説明するためのブロック図である。
【図４】  同じく、商品マスターファイル（商品情報ファイル）を説明するための図である。
【図５】  同じく、Ｗｅｂサーバーを説明するためのブロック図である。
【図６】  同じく、公開情報ファイルを説明するためのブロック図である。
【図７】  同じく、ホストコンピュータ側の作用・動作を説明するためのフローチャート（１）である。
【図８】  同じく、ホストコンピュータ側の作用・動作を説明するためのフローチャート（２）である。
【図９】  同じく、店舗内コンピュータ側の作用・動作を説明するためのフローチャートである。
【図１０】  同じく、ターミナル側の作用・動作を説明するためのフローチャートである。
【図１１】  同じく、Ｗｅｂサーバー側の作用・動作を説明するためのフローチャート（１）である。
【図１２】  同じく、Ｗｅｂサーバー側の作用・動作を説明するためのフローチャート（２）である。
【図１３】  本発明の第２の実施の形態に係るＷｅｂサーバー側の表示切替作用・動作を説明するためのフローチャートである。
【図１４】  従来例を説明するための図である。
【符号の説明】
１  インターネット
１０  ターミナル
４１Ｆ  商品ファイル（商品情報ファイル）
４５  ＬＡＮ
８０  店舗コンピュータ
８４ＭＦ  店舗商品マスターファイル（商品情報ファイル）
８４ＭＲ  売上マスターファイル
８９  ＩＳＤＮ
９０  顧客ＰＣ
１００  Ｗｅｂサーバー
１０４ＩＦ  選択情報ファイル
１０４ＧＩＦ  選択商品情報ファイル
１０４ＧＩＦＴ  特売関連情報ファイル
１０４ＫＩＦ  公開選択情報ファイル
１１０  ホストコンピュータ
１１４ＣＳＴ  顧客ファイル
１１４ＭＦ  本部商品マスターファイル（商品情報ファイル）
２００  チェーン店宅
３００  顧客先
５００  店舗
【図１】
0003912651.tif 000002
【図２】
0003912651.tif 000003
【図３】
0003912651.tif 000004
【図４】
0003912651.tif 000005
【図５】
0003912651.tif 000006
【図６】
0003912651.tif 000007
【図７】
0003912651.tif 000008
【図８】
0003912651.tif 000009
【図９】
0003912651.tif 000010
【図１０】
0003912651.tif 000011
【図１１】
0003912651.tif 000012
【図１２】
0003912651.tif 000013
【図１３】
0003912651.tif 000014
【図１４】
0003912651.tif 000015